【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
画像データに基づき画像を形成する画像形成装置であって、
感光体と、
前記感光体を露光して静電潜像を形成する露光手段と、
前記感光体の静電潜像を現像剤で現像して画像を形成する現像手段と、
前記画像データに基づき、所定値以上の画素値の画素が連続する領域である第１領域と、前記所定値未満の画素値の画素が連続する領域である第２領域を判定する判定手段と、
第１領域のエッジに位置するエッジ画素と補正対象画素との関係を示す特定情報に基づき当該第１領域内の画素から補正対象画素を特定する特定手段と、
前記補正対象画素に対する前記露光手段による露光量を前記画像データが示す露光量から補正する補正手段と、
を備えており、
前記補正手段は、第１領域のエッジ画素を通る所定方向のライン上において、当該エッジ画素と第２領域を挟んで対向する他の第１領域が存在する場合、当該第１領域と当該他の第１領域との間の当該第２領域内における当該ライン上の画素数である第１画素数に応じて、前記補正対象画素に対する前記露光手段による露光量を補正する補正量を複数の補正量を示す情報の中から選択し、前記選択された補正量に応じて、前記補正対象画素の露光量の補正を行うことを特徴とする画像形成装置。
【請求項２】
前記補正手段は、前記補正量を示す情報として、前記第１画素数が第１閾値より大きい場合の補正量を示す第１情報と、前記第１画素数が前記第１閾値以下である場合の補正量を示す第２情報を保持しており、前記第１画素数に応じて前記第１情報又は前記第２情報を選択し、前記補正対象画素の露光量の補正を行うことを特徴とする請求項１に記載の画像形成装置。
【請求項３】
前記第２情報は、前記第１閾値以下である前記第１画素数の複数の値に対応して設けられることを特徴とする請求項２に記載の画像形成装置。
【請求項４】
前記補正手段は、第１領域のエッジ画素を通る前記所定方向のライン上において、当該エッジ画素と第２領域を挟んで対向する他の第１領域が存在する場合、当該ライン上において、当該第２領域に隣接する当該他の第１領域の画素からの、当該他の第１領域の画素の連続数である第２画素数にさらに応じて、当該エッジ画素と前記特定情報に基づき特定された補正対象画素の露光量の補正を行うことを特徴とする請求項１に記載の画像形成装置。
【請求項５】
前記補正手段は、前記補正量を示す情報として、前記第１画素数が第１閾値より大きい場合の補正量を示す第１情報と、前記第１画素数が前記第１閾値以下であり、かつ、前記第２画素数が第２閾値より大きい場合の補正量を示す第２情報と、前記第１画素数が前記第１閾値以下であり、かつ、前記第２画素数が第２閾値以下である場合の補正量を示す第３情報と、を保持しており、前記第１画素数及び前記第２画素数に応じて前記第１情報、前記第２情報又は前記第３情報を選択し、前記補正対象画素の露光量の補正を行うことを特徴とする請求項４に記載の画像形成装置。
【請求項６】
前記第３情報は、前記第１閾値以下である前記第１画素数の複数の値又は前記第２閾値以下である前記第２画素数の複数の値に対応して設けられることを特徴とする請求項５に記載の画像形成装置。
【請求項７】
前記補正手段は、前記第１画素数が第１閾値より大きい場合の補正量を示す第１情報を保持しており、前記第１画素数が前記第１閾値より大きいと、前記第１情報に基づき前記補正対象画素の露光量の補正を行い、前記第１画素数が前記第１閾値以下である場合には前記補正対象画素の露光量の補正を行わないことを特徴とする請求項２に記載の画像形成装置。
【請求項８】
前記所定方向は、主走査方向又は副走査方向であることを特徴とする請求項１から７のいずれか１項に記載の画像形成装置。
【請求項９】
前記特定情報は、前記第１領域のエッジ画素から前記所定方向において補正対象画素とする画素の範囲を示す情報であることを特徴とする請求項８に記載の画像形成装置。
【請求項１０】
前記所定方向は、副走査方向であり、
前記特定情報は、前記感光体の回転方向の上流側にある前記第１領域のエッジ画素から前記所定方向において補正対象画素とする画素の範囲を示す情報であることを特徴とする請求項１から７のいずれか１項に記載の画像形成装置。
【請求項１１】
前記特定手段は、第１領域のエッジ画素を通る前記所定方向のライン上において、当該エッジ画素から連続する当該第１領域の画素の数が予め定められた値以下であると、当該エッジ画素に基づく補正対象画素の判定を行わないことを特徴とする請求項８から１０のいずれか１項に記載の画像形成装置。
【請求項１２】
前記特定手段は、第１領域のエッジ画素を通る前記所定方向のライン上において、当該エッジ画素から連続する当該第１領域の画素の数が予め定められた値以下であると、当該エッジ画素に基づく補正対象画素の判定を行わないことを特徴とする請求項１０に記載の画像形成装置。
【請求項１３】
前記所定値以上の画素値の画素は、トナーを付着させる画素であり、前記所定値未満の画素値の画素は、トナーを付着させない画素であることを特徴とする請求項１から１２のいずれか１項に記載の画像形成装置。
【請求項１４】
画像データに基づき画像を形成する画像形成装置であって、
感光体と、
前記感光体を露光して静電潜像を形成する露光手段と、
前記静電潜像を現像剤で現像して画像を形成する現像手段と、
前記画像データに基づき、所定値以上の画素値の画素が連続する領域である第１領域と、前記所定値未満の画素値の画素が連続する領域である第２領域を判定する判定手段と、
第１領域のエッジに位置するエッジ画素と補正対象画素との関係を示す特定情報に基づき当該第１領域内の画素から補正対象画素を特定する特定手段と、
前記補正対象画素に対する前記露光手段による露光量を前記画像データが示す露光量から補正する補正手段と、
を備えており、
前記補正手段は、第１領域のエッジ画素を通る所定方向のライン上において、当該エッジ画素と第２領域を挟んで対向する他の第１領域が存在する場合、当該第１領域と当該他の第１領域との間の当該第２領域内における当該ライン上の画素数である第１画素数に応じて、前記補正対象画素の露光量の補正を行うか否かを判断することを特徴とする画像形成装置。
【請求項１５】
前記補正手段は、前記第１画素数が第１閾値より大きい場合は、前記補正対象画素の露光量の補正を行い、前記第１画素数が前記第１閾値以下である場合は、前記補正対象画素の露光量の補正を行わないことを特徴とする請求項１４に記載の画像形成装置。
【請求項１６】
前記補正手段は、第１領域のエッジ画素を通る前記所定方向のライン上において、当該エッジ画素と第２領域を挟んで対向する他の第１領域が存在する場合、当該ライン上において、当該第２領域に隣接する当該他の第１領域の画素からの、当該他の第１領域の画素の連続数である第２画素数にさらに応じて、当該エッジ画素と前記特定情報に基づき特定された補正対象画素の露光量の補正を行うことを特徴とする請求項１４に記載の画像形成装置。
【請求項１７】
前記所定方向は、主走査方向又は副走査方向であることを特徴とする請求項１４から１６のいずれか１項に記載の画像形成装置。
【請求項１８】
前記特定情報は、前記第１領域のエッジ画素から前記所定方向において補正対象画素とする画素の範囲を示す情報であることを特徴とする請求項１７に記載の画像形成装置。
【請求項１９】
前記所定方向は、副走査方向であり、
前記特定情報は、前記感光体の回転方向の上流側にある前記第１領域のエッジ画素から前記所定方向において補正対象画素とする画素の範囲を示す情報であることを特徴とする請求項１４から１６のいずれか１項に記載の画像形成装置。
【請求項２０】
前記特定手段は、第１領域のエッジ画素を通る前記所定方向のライン上において、当該エッジ画素から連続する当該第１領域の画素の数が予め定められた値以下であると、当該エッジ画素に基づく補正対象画素の判定を行わないことを特徴とする請求項１７から１９のいずれか１項に記載の画像形成装置。
【請求項２１】
前記特定手段は、第１領域のエッジ画素を通る前記所定方向のライン上において、当該エッジ画素から連続する当該第１領域の画素の数が予め定められた値以下であると、当該エッジ画素に基づく補正対象画素の判定を行わないことを特徴とする請求項１９に記載の画像形成装置。
【請求項２２】
前記所定値以上の画素値の画素は、トナーを付着させる画素であり、前記所定値未満の画素値の画素は、トナーを付着させない画素であることを特徴とする請求項１４から２１のいずれか１項に記載の画像形成装置。
【請求項２３】
感光体と、前記感光体を露光して静電潜像を形成する露光手段と、前記感光体の静電潜像を現像剤で現像して画像を形成する現像手段と、を有する画像形成装置に、前記画像を形成するための出力画像データを供給する画像処理装置であって、
入力画像データに基づき、所定値以上の画素値の画素が連続する領域である第１領域と、前記所定値未満の画素値の画素が連続する領域である第２領域を判定する判定手段と、
第１領域のエッジに位置するエッジ画素と補正対象画素との関係を示す特定情報に基づき当該第１領域内の画素から補正対象画素を特定する特定手段と、
前記補正対象画素に対する前記露光手段による露光量を前記入力画像データが示す露光量から補正して前記出力画像データを生成する補正手段と、
を備えており、
前記補正手段は、第１領域のエッジ画素を通る所定方向のライン上において、当該エッジ画素と第２領域を挟んで対向する他の第１領域が存在する場合、当該第１領域と当該他の第１領域との間の当該第２領域内における当該ライン上の画素数である第１画素数に応じて、前記補正対象画素に対する前記露光手段による露光量を補正する補正量を複数の補正量を示す情報の中から選択し、前記選択された補正量に応じて、前記補正対象画素の露光量の補正を行うことを特徴とする画像処理装置。
【請求項２４】
感光体と、前記感光体を露光して静電潜像を形成する露光手段と、前記静電潜像を現像剤で現像して画像を形成する現像手段と、を有する画像形成装置に、前記画像を形成するための出力画像データを供給する画像処理装置であって、
入力画像データに基づき、所定値以上の画素値の画素が連続する領域である第１領域と、前記所定値未満の画素値の画素が連続する領域である第２領域を判定する判定手段と、
第１領域のエッジに位置するエッジ画素と補正対象画素との関係を示す特定情報に基づき当該第１領域内の画素から補正対象画素を特定する特定手段と、
前記補正対象画素に対する前記露光手段による露光量を前記入力画像データが示す露光量から補正して前記出力画像データを生成する補正手段と、
を備えており、
前記補正手段は、第１領域のエッジ画素を通る所定方向のライン上において、当該エッジ画素と第２領域を挟んで対向する他の第１領域が存在する場合、当該第１領域と当該他の第１領域との間の当該第２領域内における当該ライン上の画素数である第１画素数に応じて、前記補正対象画素の露光量の補正を行うか否かを判断することを特徴とする画像処理装置。
【請求項２５】
コンピュータを請求項２３又は２４に記載の画像処理装置として機能させることを特徴とするプログラム。
【手続補正２】
【補正対象書類名】明細書
【補正対象項目名】０００６
【補正方法】変更
【補正の内容】
【０００６】
本発明の一側面によると、画像データに基づき画像を形成する画像形成装置は、感光体と、前記感光体を露光して静電潜像を形成する露光手段と、前記感光体の静電潜像を現像剤で現像して画像を形成する現像手段と、前記画像データに基づき、所定値以上の画素値の画素が連続する領域である第１領域と、前記所定値未満の画素値の画素が連続する領域である第２領域を判定する判定手段と、第１領域のエッジに位置するエッジ画素と補正対象画素との関係を示す特定情報に基づき当該第１領域内の画素から補正対象画素を特定する特定手段と、前記補正対象画素に対する前記露光手段による露光量を前記画像データが示す露光量から補正する補正手段と、を備えており、前記補正手段は、第１領域のエッジ画素を通る所定方向のライン上において、当該エッジ画素と第２領域を挟んで対向する他の第１領域が存在する場合、当該第１領域と当該他の第１領域との間の当該第２領域内における当該ライン上の画素数である第１画素数に応じて、前記補正対象画素に対する前記露光手段による露光量を補正する補正量を複数の補正量を示す情報の中から選択し、前記選択された補正量に応じて、前記補正対象画素の露光量の補正を行うことを特徴とする。